(57)【要約】【課題】測色装置を使用するときに、その測色時の温度や湿度などの環境データを簡単且つ信頼性をもって計測できるようにする。【解決手段】測色装置ユニットを備えた記録装置であって、前記測色装置ユニットは、被記録材の被記録面から測色データを得る測色器を備えた測色装置と、基端部に設けられた吸引ファンによりメイン吸気口を介して外部から空気を取り込み、該吸引ファンより下流側のダクトを通して吹出し口から被記録材の被記録面に対して該空気を放出して乾燥を行う乾燥装置と、前記測色装置の測色環境を計測する環境センサとを備え、前記環境センサは、前記ダクトの外側であって前記吸引ファンの吸引口と連通する他の区画領域内の位置であり、且つ前記基端部と反対側の他端部に設けられている外部から空気を取り込むためのサブ吸気口の近傍位置に設けられている。【選択図】図１４
2010112845.tif 000002
【特許請求の範囲】
【請求項１】
測色装置ユニットを備えた記録装置であって、前記測色装置ユニットは、
被記録材の被記録面から測色データを得る測色器を備えた測色装置と、
基端部に設けられた吸引ファンによりメイン吸気口を介して外部から空気を取り込み、該吸引ファンより下流側のダクトを通して吹出し口から被記録材の被記録面に対して該空気を放出して乾燥を行う乾燥装置と、
前記測色装置の測色環境を計測する環境センサと、を備え、
前記環境センサは、前記ダクトの外側であって前記吸引ファンの吸引口と連通する他の区画領域内の位置であり、且つ前記基端部と反対側の他端部に設けられている外部から空気を取り込むためのサブ吸気口の近傍位置に設けられていることを特徴とする測色装置ユニットを備えた記録装置。
【請求項２】
請求項１に記載の記録装置において、
前記サブ吸気口から取り込まれて前記環境センサを通過した空気の前記吸引ファンの吸引口に至る流路は、一部が前記ダクトの外面によって構成されていることを特徴とする測色装置ユニットを備えた記録装置。
【請求項３】
請求項１又は２に記載の記録装置において、
前記測色器による測色が実行されるときに前記環境センサにより計測された環境データを被記録材に記録するように構成されていることを特徴とする測色装置ユニットを備えた記録装置。
【発明の詳細な説明】
【技術分野】
【０００１】
本発明は、測色装置と乾燥装置を有する測色装置ユニットを備えた記録装置に関する。
【背景技術】
【０００２】
印刷物の製作現場では本印刷に入る前に校正刷りを行い、校正刷りした印刷見本に表示された画像や当該画像といっしょに表示されている認証用のカラーパッチを参考にして忠実に画像データの色が再現されているか否かを確認する色校正が従来から行われている。
【０００３】
一方、ＣＲＴモニタ上の画像の色と、プリンタやイメージセッタ等の出力装置から出力された上記印刷見本に表示された画像の色とをプロファイルと呼ばれているカラー管理ファイルに基づいて電子的にマッチングさせるデジタルマッチングが広く普及しており、印刷データの製作現場や印刷物の製作現場で実施されている（特許文献１）。
【０００４】
また、最近では校正刷りに要する時間を短縮するために製版用の印刷データから直接、校正紙を出力する簡易校正と呼ばれている色校正の形態が広く普及しており、このような校正紙の出力に測色装置を搭載した大型のインクジェット式記録装置が使用されている。
【０００５】
また、上記測色装置によって得られる測色データは、温度や湿度等の室内環境が一定の基準値以内にある時に有効となり、信頼性のある測色データとして取り扱かわれる。従って、測色装置によって測色データを得る場合には、その測色データを得たときの温度や湿度等の室内環境データを添付することが必要とされている。
【特許文献１】特開平１１−３２６０５６号公報
【発明の開示】
【発明が解決しようとする課題】
【０００６】
しかし、測色装置を使用するときに使用するものであるにも拘らず、測色装置と別個に環境センサを設置することは効率的でないし、取り扱い上も不便を来たす。また、測色装置ユニット内に環境センサを配設することも考えられるが、測色装置ユニット内には乾燥装置が設けられているため、乾燥装置の吸引ファンやヒータからの影響を受けて正確な室内環境データが得られない虞れがある。また、人の手に触れるような個所に環境センサを配設した場合には、破損や誤動作等の虞れがあり、この場合にも計測した室内環境データの信頼性が損なわれる場合がある。
【０００７】
本発明の目的は、測色装置を使用するときに、その測色時の温度や湿度などの環境データを簡単且つ信頼性をもって計測できるようにすることにある。
【課題を解決するための手段】
【０００８】
上記目的を達成するために本発明の第１の態様は、測色装置ユニットを備えた記録装置であって、前記測色装置ユニットは、被記録材の被記録面から測色データを得る測色器を備えた測色装置と、基端部に設けられた吸引ファンによりメイン吸気口を介して外部から空気を取り込み、該吸引ファンより下流側のダクトを通して吹出し口から被記録材の被記録面に対して該空気を放出して乾燥を行う乾燥装置と、前記測色装置の測色環境を計測する環境センサとを備え、前記環境センサは、前記ダクトの外側であって前記吸引ファンの吸引口と連通する他の区画領域内の位置であり、且つ前記基端部と反対側の他端部に設けられている外部から空気を取り込むためのサブ吸気口の近傍位置に設けられていることを特徴とするものである。
【０００９】
本態様において、乾燥装置が作動すると、基端部に設けられた吸引ファンにより外部空気の主要な取込み口であるメイン吸気口を介して外部から多量の空気を取り込む。そして、該吸引ファンより下流側のダクトを通して吹出し口から被記録材の被記録面に前記空気が放出されて乾燥に供される。
【００１０】
前記メイン吸気口からの多量の空気の取込みによる空気の強い大きな流れ、すなわちメイン流路が形成されると前記吸引ファンの吸引口周辺に負圧が生じる。この負圧は前記吸引口と連通構成の他の区画領域内に作用し、更に他端部のサブ吸気口にまで作用する。この負圧がサブ吸気口に作用することで、外部の空気が該サブ吸気口から取り込まれる弱い流れが形成される。
【００１１】
環境センサは前記サブ吸気口の近傍に位置するので、その弱い空気の流れと接触することができ、温度や湿度等の環境データを計測することができる。
【００１２】
本態様によれば、環境センサは、上記のように吸引ファンによる空気の強い大きな流れの影響を受けない離れた位置に設けられ、更に外部空気の弱い流れと接触して計測するので、高精度で温度や湿度等の環境データを計測することができる。また、通常吸引ファンの近傍にヒータが設けられているので、ヒータ近傍ではヒータの熱の影響を受けて精度良く環境温度を計測することができないが、本態様によれば上記の配置によってヒータの熱の影響を受けずに高精度での計測を実現することができる。
【００１３】
また、サブ吸気口を介して測色装置ユニットの内部に取り込まれた外部空気を計測対象としているから、信頼性のある室内環境データを得ることができる。
【００１４】
また、サブ吸気口から外部空気を取り込むための吸引力をメイン吸気口用の吸引ファンで兼用しているので、部品点数少なく小型化及び低コスト化を図ることができる。
【００１５】
また、環境センサは測色装置ユニット内に設けられているので、別個に設けた場合における管理の煩わしさが無く使いやすい上に、ユーザーが環境センサに不用意に触れることがないので、故障や誤作動の虞が少ない。
【００１６】
本発明の第２の態様は、前記第１の態様の記録装置において、前記サブ吸気口から取り込まれて前記環境センサを通過した空気の前記吸引ファンの吸引口に至る流路は、一部が前記ダクトの外面によって構成されていることを特徴とするものである。
【００１７】
本態様によれば、サブ吸気口から取り込まれた外部空気の流れは、乾燥装置のダクトに沿って静かに流れるので、該ダクトからの放熱を吸収して、当該他の区画領域内の温度上昇を抑制しつつ、自らは余熱された状態で吸引ファンの吸引口から吸引されて乾燥用の空気として利用されることになり、無駄が無く効率的である。
【００１８】
本発明の第３の態様は、前記第１の態様又は第２の態様の記録装置において、前記測色器による測色が実行されるときに前記環境センサにより計測された環境データを被記録材に記録するように構成されていることを特徴とするものである。
【００１９】
本態様によれば、測色器による測色が実行されるときに前記環境センサにより計測された環境データを被記録材に記録するので、環境データが自動的に記録され、測色装置ユニットを備えた記録装置として使い勝手が良い。
【発明を実施するための最良の形態】
【００２０】
以下、本発明に係る測色装置ユニットを備えた記録装置について説明する。最初に本発明の記録装置を実施するための最良の形態としてインクジェット式記録装置１００を採り上げて、その全体構成の概略を図面に基づいて説明する。尚、ここで説明するインクジェット式記録装置１００は、例えばＡ３サイズ以上のシート状の大判の被記録材Ｐ（以下単票紙Ｐとも言う）やＡ１サイズ或いはＡ１プラス（ノビ）サイズや、Ｂ０サイズ或いはＢ０プラス（ノビ）サイズといったロール状の大判の被記録材Ｒ（以下ロール紙Ｒともいう）に対して記録を実行することができる大型のインクジェット式記録装置である。
【００２１】
図１は本体カバーを装着した状態のインクジェット式記録装置の外観を示す斜視図、図２は本体カバーを装着した状態のインクジェット式記録装置の外観を示す側面図である。図３は本体カバーを取り外した状態のインクジェット式記録装置を示す斜視図、図４は本体カバーを取り外した状態のインクジェット式記録装置を示す側面図である。また、図５はインクジェット式記録装置の内部構造の概略を示す要部側断面図である。
【００２２】
図示のインクジェット式記録装置１００は、図３、図４に示すように、記録装置本体３を備えている。該記録装置本体３は、図１、図２に示すように本体カバー２によって覆われている。また、前記記録装置本体３の後部寄りの上部には、ロール紙Ｒを保持することのできるスピンドルと、一対のフランジ状のロール紙押さえとによって構成されているロール紙ホルダ５が設けられている。また、記録装置本体３の前面の一例として左端寄りの部分には、各色のインクカートリッジを個別に収容することができる複数のカートリッジスロットを備えたカートリッジホルダ８が設けられている。
【００２３】
また、インクジェット式記録装置１００の前面の一例として右端寄りの部分には、各種の操作指令を司る操作パネル９が適宜のブラケットによって支持されて設けられている。また、記録装置本体３には、約６０°の前下がり傾斜姿勢で搬送案内板１１が設けられており、ロール紙ホルダ５によって保持されているロール紙Ｒと単票紙Ｐを搬送方向Ａとなる前部下方に向けて案内している。該搬送案内板１１の上面が記録装置本体３の後述する測色器３１と対向する面であって被記録材を保持する保持面となる。
【００２４】
また、図５に示すように、ロール紙Ｒと単票紙Ｐの搬送経路の上流位置には、搬送用駆動ローラ１９と搬送用従動ローラ２０の一対のニップローラによって構成されている搬送用ローラ２１が設けられている。このうち、前記搬送用駆動ローラ１９は一例として正逆転可能なローラである。前記搬送用ローラ２１によって挟持されたロール紙Ｒや単票紙Ｐは、前部下方への搬送方向Ａと後部上方への戻し方向Ｄとの両方向に搬送されるようになっている。
【００２５】
前記搬送用ローラ２１の下流には記録ポジション２６が設けられている。記録ポジション２６の上方には記録ヘッド１３が位置している。該記録ヘッド１３はキャリッジ１０によって保持され、記録装置本体３の幅方向に往復移動できるようになっている。一方、記録ポジション２６の下方には、ギャップＰＧを隔ててプラテン２８が設けられている。該プラテン２８には吸引孔２９が形成されている。そして、該吸引孔２９からのエア吸引によって、プラテン２８上を搬送されるロール紙Ｒや単票紙Ｐは、プラテン２８上に吸着保持されながら記録が実行され、下流の乾燥領域８１、そして測色領域８０へと搬送されるようになっている。尚、前記乾燥領域８１での乾燥と測色領域８０での測色は、ハウジングフレーム３０によって被覆された着脱式の測色装置ユニット１によって実行される。
【００２６】
［実施例］
次に、このようにして構成されるインクジェット式記録装置１００に対して適用される本発明の特徴的構成である測色装置ユニット１について具体的に説明する。  
図６は測色時の測色装置の動作状態を示す斜視図、図７は同測色装置の構造を示す拡大斜視図、図８は同測色装置の正面図である。図９は測色装置ユニットを示す斜め後方からの斜視図、図１０は同測色装置ユニットの平面図、図１１は同測色装置ユニットの右側面図、図１２は同測色装置ユニットの左側面図、図１３はハウジングを取り外した状態の測色装置ユニットを示す平面図である。図１４は外部空気の流れを示す測色装置ユニットの平断面図、図１５は同測色装置ユニットの側断面図である。また図１６は環境センサの設置部位を拡大して示す斜視図、図１７は同上平面図である。
【００２７】
図９、図１５に示した下ように、測色装置ユニット１は、測色装置８２と、測色装置８２を支持するメインフレーム１１４と、乾燥装置８３と、乾燥装置８３を支持する乾燥装置フレーム１１５と、これらを一体に収容するハウジング３０とを備えた１ユニット化された装置である。そして、ハウジング３０は、測色装置８２と乾燥装置８３の側胴部を覆うハウジングカバー３０Ａと、測色装置８２と乾燥装置８３の左右の両端面を覆うサイドカバー３０Ｌ、３０Ｒと、を備えることによって構成されている。
【００２８】
図９、図１０、図１２に示したように、向って左側のサイドカバー３０Ｌには、外方に大きく張り出すように突出したリブが設けられており、そのリブの内部が記録装置本体３に設けられている、図示しない向って左側の取付け軸と係合する案内溝１１１Ｌになっている。また、左側のサイドカバー３０Ｌには、測色装置ユニット１を記録装置本体３に取り付けたり、取り外す際に使用するハンドル１１２Ｌと、乾燥装置８３に外部空気Ｇを供給するための外部空気Ｇの主要な取込み口となる口径の大きなメイン吸気口１１３Ｌとが設けられている。
【００２９】
図９、図１０、図１１に示したように、向って右側のサイドカバー３０Ｒには、外方に僅かに張り出したリブが設けられており、そのリブの陥没した内部が記録装置本体３に設けられている、図示しない向って右側の取付け軸と係合する案内溝１１１Ｒになっている。また、右側のサイドカバー３０Ｒにも、測色装置ユニット１を記録装置本体３に取り付けたり、取り外す際に使用するハンドル１１２Ｒと、乾燥装置８３に外部空気Ｇを供給するための外部空気Ｇの補助的な取込み口となる口径の小さなサブ吸気口１１３Ｒとが設けられている。
【００３０】
図５に示したように、図示の測色装置ユニット１にあっては、記録ポジション２６の下流位置に乾燥装置８３、乾燥装置８３の下流位置に測色装置８２が位置するように構成されている。
【００３１】
図５乃至図８に示したように、測色装置８２は、測色器３１と、測色器ホルダ３２と、キャリッジ往復機構３３と、連結機構４４と、押さえ部材３４と、回動シフト機構３５と、ホワイトタイル３６と、タイルホルダ３７とを備えることによって基本的に構成されている。
【００３２】
また、図１３、図１４に示したように、乾燥装置８３は、外部空気Ｇを取り込む吸引ファン８４と、取り込んだ外部空気Ｇを温めるヒータ８９と、上記吸引ファン８４によって取り込まれた外部空気Ｇを温風あるいは冷風として測色領域８０の上流位置に設けられている乾燥領域８１に導くダクト８５とを備えることによって基本的に構成されている。
【００３３】
測色器３１は、ロール紙Ｒや単票紙Ｐの被記録面に対して記録を実行した測色用パターンＢ（以下、測色用パターンの代表的な例であるカラーパッチＢの語も使用する）に対して光を照射し、カラーパッチＢに反射して戻って来た光に基づいて測色データである色校正用の色情報を測定して補正値を得る測定機器である。尚、色情報としてはホワイトバランス、色度、明度によってカラー値を定義するＬａｂカラーモードに基づく色情報が一例として使用できる。また、モニタ側ではＲＧＢカラーモードが、インクジェット式記録装置１００側ではＣＭＹＫカラーモードがそれぞれ使用されるから、測色器３１によって測定したＬａｂカラーモードに基づく色情報をそれぞれＲＧＢカラーモードまたはＣＭＹＫカラーモードに変換してモニタ側ないしインクジェット式記録装置１００側の補正値を算出して適用することになる。
【００３４】
測色器ホルダ３２は、前面、上面、底面が開放されたホルダーケース４１と、該ホルダーケース４１の上面を覆うケースカバー４２とを備えた前記測色器３１用の保持部材である。また、測色器ホルダ３２の下面には、測色領域８０を挟んで（図５）、その前後に基端側車輪４５と自由端側車輪４６とを備えた一対の移動用車輪４７が測色器３１の走査方向Ｃ（図６）の左右に２組設けられている。尚、本実施例では基端側車輪４５と自由端側車輪４６とを一例としてベアリングによって構成している。
【００３５】
キャリッジ往復機構３３は、前記測色器ホルダ３２によって保持されている測色器３１を走査方向Ｃに往復移動させる機構である（図６）。具体的には、連結機構４４を介して測色器ホルダ３２に接続され、測色器３１と共に往復移動する測色器用キャリッジ５１と、該測色器用キャリッジ５１の移動を案内する主軸５２と副軸５３とによって構成されている２本のガイド軸と、前記測色器用キャリッジ５１を往復移動させる際の駆動源となるキャリッジ駆動モータ５４と、該キャリッジ駆動モータ５４からの駆動力を受けて実際に測色器用キャリッジ５１を往復移動させる無端帯状のタイミングベルト５９とを基本的に備えることによってキャリッジ往復機構３３は構成されている。
【００３６】
尚、前記キャリッジ往復機構３３によって走査できる走査方向Ｃのストロークは、カラーパッチＢが走査方向Ｃに並設された長さに合わせて設定されている。従って、Ｂ０プラス（ノビ）サイズまでの記録ができるインクジェット式記録装置１００の移動ストロークよりも短くなっている。
【００３７】
連結機構４４は、前記測色器ホルダ３２の下面に設けられている移動用車輪４７が後述する押さえ部材３４における押さえ板４８上に常時、接地して走行できるようにするための機構である（図５乃至図７）。具体的には、上下に配置されたリンク１０１、１０２を左右に２組有する平行リンク機構によって連結機構４４は構成されている。そして、押圧バネ１０７の付勢力によって測色器ホルダ３２は、常時、押さえ部材３４側に移動するように構成されている。また、連結機構４４は、後述するタイルホルダ３７と押さえ部材３４間の測色器ホルダ３２の移動を円滑にする役割も併せ持っている。
【００３８】
押さえ部材３４は、測色時にカラーパッチＢが記録されたロール紙Ｒや単票紙Ｐの被記録面を前記保持面（搬送案内板１１）との間に押さえる押圧姿勢をとり、非測色時に上方に跳ね上がってロール紙Ｒや単票紙Ｐの搬送を可能にする退避姿勢をとる保持部材である（図６、図８）。具体的には、一体に設けられる回動軸６２を中心にして約９０°の範囲に亘って回動する支持アーム６３と、該支持アーム６３の回動自由端に対して回動ピン６４を介して回動自在に接続される平板状の押さえ板４８と、前記回動アーム６３と押さえ板４８との間に縮設される図示しない押さえ板支持バネ及び押さえ板加圧バネとを備えることによって押さえ部材３４は構成されている。
【００３９】
支持アーム６３は、走査方向Ｃに長い湾曲した板状の回動式のアームである（図６）。該支持アーム６３は、その回動基端側には左右外方に突出するように前記回動軸６２が一体に形成されている。また、回動軸６２の左右には、約９０°の範囲に亘って歯が刻設されている扇形ギヤ６７が設けられている。押さえ板４８は走査方向Ｃに長い矩形平板状の部材である。押さえ板４８の上面中央部には、走査方向Ｃに延びる窓部４９が押さえ板４８の上下面を貫通するように設けられている。
【００４０】
前記窓部４９は、測色器３１からの照射光と、ロール紙Ｒないし単票紙Ｐからの反射光の通過を可能にするための開口である。また、該窓部４９の周りの押さえ板４８の上面は、上述した測色器ホルダ３２の下面に設けられている基端側車輪４５及び自由端側車輪４６と接触し案内する案内面４８ａになっている。そして、該窓部４９の周りの押さえ板４８の下面は、測色領域８０に到達し、前記保持面１１上に保持されているロール紙Ｒや単票紙Ｐの被記録面に作用して直接押圧する押さえ面４８ｂになっている。
【００４１】
回動シフト機構３５は、前記押さえ部材３４の押圧姿勢と退避姿勢とを切り替えるためのシフト機構である（図６）。具体的には、駆動源である押さえ部材用駆動モータ７０と、該押さえ部材用駆動モータ７０の回転を前記扇形ギヤ６７に伝達するためのギヤ輪列７１とを備えることによって回動シフト機構３５は構成されている。
【００４２】
ホワイトタイル３６は、非測色時において前記測色器３１のキャリブレーションを実行するためのセラミック製のタイルである（図６）。そして、前記ホワイトタイル３６は、着脱可能な状態でタイルホルダ３７によって保持されている。タイルホルダ３７は、カラーパッチＢが記録されたロール紙Ｒや単票紙Ｐが通る搬送経路の側方の前記キャリッジ往復機構３３のホームポジション領域に設けられている前記ホワイトタイル３６の保持部材である。そして、測色器用キャリッジ５１がホームポジションに位置している非測色時には、前記測色器３１がホワイトタイル３６の上面に位置してキャップとして機能し、ホワイトタイル３６の上面に対する埃等の付着を防止している。
【００４３】
また、図１４に示したように、本発明の特徴的構成として、上記測色装置８２と乾燥装置８３に加えて、測色装置８２の測色環境を計測する環境センサ１５５が測色装置ユニット１に設けられている。
【００４４】
すなわち、本実施例に係る前記測色装置ユニット１は、測色器３１を備えた測色装置８２と、基端部に設けられた吸引ファン８４によりメイン吸気口１１３Ｌを介して外部から空気Ｇを取り込み、該吸引ファン８４より下流側のダクト８５を通して吹出し口から被記録材の被記録面に対して該空気を放出して乾燥を行う乾燥装置８３と、前記測色装置８２の測色環境を計測する環境センサ１５５とを備えている。  
そして、前記環境センサ１５５は、前記ダクト８５の外側であって前記吸引ファン８４の吸引口８４Ａと連通する他の区画領域１５６内の位置であり、且つ前記基端部と反対側の他端部に設けられている外部から空気を取り込むためのサブ吸気口１１３Ｒの近傍位置に設けられている。
【００４５】
前記サブ吸気口１１３Ｒから取り込まれて前記環境センサ１５５を通過した空気の前記吸引ファン８４の吸引口８４Ａに至るサブ流路１５９は、一部が前記ダクト８５の外面によって構成されている。これにより、サブ吸気口１１３Ｒから取り込まれた外部空気Ｇの流れは、乾燥装置８３のダクト８５に沿って静かに流れるので、該ダクト８５からの放熱を吸収して、当該他の区画領域１５６内の温度上昇を抑制しつつ、自らは余熱された状態で吸引ファン８４の吸引口８４Ａから吸引されて乾燥用の空気として利用されることになる。
【００４６】
すなわち、一部繰り返しになるが、上記環境センサ１５５は、他の区画領域１５６内であって、上記乾燥装置８３からの影響を受けない個所に設けられている。そして、上記他の区画領域１５６は、乾燥装置８３によって生成された温風ないし冷風のダクト８５となる乾燥装置フレーム１１５と、測色装置８２と乾燥装置８３を一体に収容するハウジング３０との間の既存の空間を利用して形成されている。
【００４７】
また、他の区画領域１５６内には、上記メイン吸気口１１３Ｌから取り込まれて直接、ダクト８５内に外部空気Ｇが流入するメイン流路１５８と、上記サブ吸気口１１３Ｒから取り込まれて、上記吸引ファン８４側に一旦、迂回してからダクト８５内に外部空気Ｇが流入するサブ流路１５９とが作られる。そして、上記環境センサ１５５は、上記サブ流路１５９上のサブ吸気口１１３Ｒ近傍の当該他の区画領域１５６内のスペースに配設されている。
【００４８】
尚、環境センサ１５５としては、室内環境を判断するための種々の判断要素、例えば温度と湿度のいずれか一方、あるいはこれらの双方を計測し得るセンサが適用でき、環境センサ１５５によって計測した室内環境データは、測色器３１によって計測した測色データと共にモニタ上に表示されたり、プリント出力される。そして、このようにして構成される測色ユニット１によって、環境センサ１５５の特性に影響を与えることなく、測色装置ユニット１内に環境センサ１５５を組み込むことが可能になり、効率的で取り扱いが容易、しかも信頼性のある測色データが得られる測色装置ユニット１をインクジェット式記録装置１００に適用することが可能になる。
【００４９】
次に作用を説明する。本実施例においては、乾燥装置８３が作動すると、基端部に設けられた吸引ファン８４により外部空気Ｇの主要な取込み口であるメイン吸気口１１３Ｌを介して外部から多量の空気を取り込む。そして、該吸引ファン８４より下流側のダクト８５を通して吹出し口から被記録材の被記録面に前記空気が放出されて乾燥に供される。
【００５０】
前記メイン吸気口１１３Ｌからの多量の空気の取込みによる空気の強い大きな流れ、すなわちメイン流路１５８が形成されると前記吸引ファン８４の吸引口８４Ａ周辺に負圧が生じる。この負圧は前記吸引口８４Ａと連通構成の他の区画領域１５６内に作用し、更に他端部のサブ吸気口１１３Ｒにまで作用する。この負圧がサブ吸気口１１３Ｒに作用することで、外部の空気Ｇが該サブ吸気口１１３Ｒから取り込まれる弱い流れ（サブ流路１５９）が形成される。
【００５１】
環境センサ１５５は前記サブ吸気口１１３Ｒの近傍に位置するので、そのサブ流路１５９の弱い空気の流れと接触することができ、温度や湿度等の環境データを計測することができる。
【００５２】
以上説明したように、本実施例によれば、環境センサ１５５は、上記のように吸引ファン８４による空気の強い大きな流れ（メイン流路１５８）の影響を受けない離れた位置に設けられ、更に外部空気Ｇの弱い流れ（サブ流路１５９）と接触して計測するので、高精度で温度や湿度等の環境データを計測することができる。また、通常吸引ファン８４の近傍にヒータ８９が設けられているので、ヒータ８９近傍ではヒータ８９の熱の影響を受けて精度良く環境温度を計測することができないが、本実施例によれば上記の配置によってヒータ８９の熱の影響を受けずに高精度での計測を実現することができる。
【００５３】
次に、このようにして構成される測色装置ユニット１を使用することによって実行される測色用パターンＢの乾燥と測色の流れについて簡単に説明する。記録ポジション２６でカラーパッチＢが記録されたロール紙Ｒと単票紙Ｐは、搬送方向Ａの下流に設けられている乾燥領域８１に搬送される。そして、乾燥領域８１に設けられている乾燥装置８３からの温風ないし冷風によって、上記カラーパッチＢの乾燥が実行される。また、このとき同時に環境センサ１５５によって温度、湿度等の案内環境データが計測される。
【００５４】
カラーパッチＢの乾燥が終了すると、ロール紙Ｒと単票紙Ｐは、更に搬送方向Ａの下流に搬送されて測色領域８０に至る。そして、測色領域８０では、上述した測色装置８２が作動して、先ず押さえ部材３４によりロール紙Ｒないし単票紙Ｐを搬送案内板１１上に固定する。次に、キャリッジ駆動モータ５４を作動させて測色器用キャリッジ５１をホームポジションから測色領域８０に移動させる。そして、測色器３１を走査方向Ｃに往復移動させ、所望の測色データを取得する。また、上記環境センサ１４５によって計測された環境データと共にモニタ上に上記測色データが表示され、プリント出力される。
【００５５】
［他の実施例］
本発明の記録装置１００は、以上述べたような構成を基本とするものであるが、本発明の要旨を逸脱しない範囲内の部分的構成の変更や省略等を行うことも勿論可能である。
【００５６】
例えば、上述した測色装置ユニット１は、記録装置本体３とは別体のユニットとして構成されているから、記録装置１００に対して当初から設置されている場合に限らず、オプション品として、爾後に記録装置本体３に対して装着して使用することが可能である。また、前記実施例のような大型のインクジェット式記録装置１００に限らず、小型、中型のインクジェット式記録装置に対して前述した測色装置ユニット１を適用することが可能である。
【００５７】
また、環境センサ１５５が配設される個所は、外部からユーザが手で触れることができず、乾燥装置からの影響や気流の影響を受けない種々の個所が適用でき、前述した図示の実施例の配設個所に限定されない。また、環境センサ１５５の設置個所は複数個でもよく、その場合には個別に配設個所を替えるようにすることも可能である。
【図面の簡単な説明】
【００５８】
【図１】本体カバー装着時のインクジェット式記録装置の外観を示す斜視図。
【図２】本体カバー装着時のインクジェット式記録装置の外観を示す側面図。
【図３】本体カバーを取り外した状態のインクジェット式記録装置を示す斜視図。
【図４】本体カバーを取り外した状態のインクジェット式記録装置を示す側面図。
【図５】インクジェット式記録装置の内部構造の概略を示す側断面図。
【図６】測色時の測色装置の動作状態を示す斜視図。
【図７】測色時の測色装置の動作状態を示す正面図。
【図８】測色装置の構造を示す斜視図。
【図９】測色装置ユニットを示す斜め後方からの斜視図。
【図１０】測色装置ユニットを示す平面図。
【図１１】測色装置ユニットを示す右側面図。
【図１２】測色装置ユニットを示す左側面図。
【図１３】ハウジングを取り外した状態の測色装置ユニットを示す平面図。
【図１４】外部空気の流れを示す測色装置ユニットの平断面図。
【図１５】外部空気の流れを示す測色装置ユニットの側断面図。
【図１６】環境センサの設置部位を拡大して示す斜視図。
【図１７】環境センサの設置部位を拡大して示す平面図。
【符号の説明】
【００５９】
１  測色装置ユニット、２  本体カバー、３  記録装置本体（記録装置本体）、５  ロール紙ホルダ、８  カートリッジホルダ、９  操作パネル、１０  キャリッジ、１１  搬送案内板、１３  記録ヘッド、１９  搬送用駆動ローラ、２０  搬送用従動ローラ、２１  搬送用ローラ、２６  記録ポジション、２８  プラテン、２９  吸引孔、３０  ハウジング、３０Ａ  ハウジングカバー、３０Ｌ  サイドカバー、３０Ｒ  サイドカバー、３１  測色器、３２  測色器ホルダ、３３  キャリッジ往復機構、３４  押さえ部材、３５  回動シフト機構、３６  ホワイトタイル、３７  タイルホルダ、４１  ホルダーケース、４２  ホルダーカバー、４４  連結機構、４５  基端側車輪、４６  自由端側車輪、４７  移動用車輪、４８  押さえ板、４８ａ  案内面、４８ｂ  押さえ面、４９  窓部、５１  測色器用キャリッジ、５２  主軸（ガイド軸）、５３  副軸（ガイド軸）、５４  キャリッジ駆動モータ、５９  タイミングベルト、６２  回動軸、６３  支持アーム、６４  回動ピン、６７  扇形ギヤ、７０  押さえ部材用駆動モータ、７１  ギヤ輪列、８０  測色領域、８１  乾燥領域、８２  測色装置、８３  乾燥装置、８４  吸引ファン、８５  ダクト、８９  ヒータ、１００  インクジェット式記録装置（記録装置）、１０１  リンク、１０２  リンク、１０７  押圧バネ、１１１Ｌ  案内溝、１１１Ｒ  案内溝、１１２Ｌ  ハンドル、１１２Ｒ  ハンドル、１１３Ｌ  メイン吸気口、１１３Ｒ  サブ吸気口、１１４  メインフレーム、  １１５  乾燥装置フレーム、１５５  環境センサ、１５６  他の区画領域、１５８  メイン流路、１５９  サブ流路、Ｐ  単票紙（被記録材）、Ｒ  ロール紙（被記録材）、Ａ  搬送方向、Ｂ  カラーパッチ（測色用パターン）、Ｃ  走査方向、ＰＧ  ギャップ、Ｄ  戻し方向、Ｇ  外部空気
【図１】
2010112845.tif 000003
【図２】
2010112845.tif 000004
【図３】
2010112845.tif 000005
【図４】
2010112845.tif 000006
【図５】
2010112845.tif 000007
【図６】
2010112845.tif 000008
【図７】
2010112845.tif 000009
【図８】
2010112845.tif 000010
【図９】
2010112845.tif 000011
【図１０】
2010112845.tif 000012
【図１１】
2010112845.tif 000013
【図１２】
2010112845.tif 000014
【図１３】
2010112845.tif 000015
【図１４】
2010112845.tif 000016
【図１５】
2010112845.tif 000017
【図１６】
2010112845.tif 000018
【図１７】
2010112845.tif 000019